(57)【要約】【課題】携帯電話からインターネット網を介してコールバック交換サーバーに接続し、着信先を通知して通話依頼を行うことのできるコールバック通話システムを提供する。【解決手段】インターネット網１３を介して携帯電話１２から送信されるコールバック通話依頼を受信するインターネット接続ユニット３０と、インターネット接続ユニットで受信したコールバック通話依頼に基づいて着信先の電話１６を呼び出すとともに、前記携帯電話１２をコールバックし、該着信先の電話１６と携帯電話１６を接続する電話回線交換接続ユニット４０とからなるコールバック交換サーバー１４を備える。コールバック通話依頼は、携帯電話の発ＩＤ、着信先電話番号を含み、インターネット接続ユニットは前記通話依頼に基づいて着信先電話番号とコールバックすべき携帯電話番号とを前記電話回線交換接続ユニットに供給する。【選択図】　　　図１
2004096249.tif 000002
【特許請求の範囲】
【請求項１】
携帯電話からインターネット網を介して電話帳サーバーに接続し、該電話帳サーバーに蓄積した電話帳を携帯電話にダウンロードするステップと、
携帯電話から前記電話帳サーバーにコールバック通話依頼を送信するステップと、
前記ダウンロードした電話帳から着信先電話番号を選択して前記電話帳サーバーに送信するステップと、
前記着信先電話番号を含む携帯電話からのコールバック通話依頼を、前記電話帳サーバーからインターネット網を介してコールバック交換サーバーに送信するステップと、
電話回線網を介して前記コールバック交換サーバーから着信先の電話を呼び出すとともに、前記携帯電話をコールバックするステップと、
前記着信先の電話および携帯電話の応答に基づいて、該着信先の電話と携帯電話とを接続することを特徴とするインターネットを用いたコールバック通話方法。
【請求項２】
携帯電話からインターネット網を介してコールバック交換サーバーに接続するステップと、
前記携帯電話から前記コールバック交換サーバーにコールバック通話依頼を送信するステップと、
前記携帯電話に蓄積した電話帳から着信先電話番号を選択して前記コールバック交換サーバーに送信するステップと、
電話回線網を介して前記コールバック交換サーバーから着信先の電話を呼び出すとともに、前記携帯電話をコールバックするステップと、
前記着信先の電話および携帯電話の応答に基づいて、該着信先の電話と携帯電話とを接続することを特徴とするインターネットを用いたコールバック通話方法。
【請求項３】
携帯電話からインターネット網を介して電話帳サーバーに接続し、該電話帳サーバーに蓄積した電話帳を携帯電話にダウンロードする処理と、
携帯電話から前記電話帳サーバーにコールバック通話依頼を送信する処理と、前記ダウンロードした電話帳から着信先電話番号を選択して、前記電話帳サーバーに送信する処理と、
を携帯電話のコンピュータに実行させるためのプログラムを記録したコンピュータ読取可能な記憶媒体。
【請求項４】
携帯電話からインターネット網を介してコールバック交換サーバーに接続する処理と、
前記携帯電話から前記コールバック交換サーバーにコールバック通話依頼を送信する処理と、
前記携帯電話に蓄積した電話帳から着信先電話番号を選択して、前記コールバック交換サーバーに送信する処理と、
を携帯電話のコンピュータに実行させるためのプログラムを記録したコンピュータ読取可能な記憶媒体。
【請求項５】
インターネット網を介して携帯電話から送信されるコールバック通話依頼を受信するインターネット接続ユニットと、
前記インターネット接続ユニットで受信したコールバック通話依頼に基づいて着信先の電話を呼び出すとともに、前記携帯電話をコールバックし、該着信先の電話と携帯電話を接続する電話回線交換接続ユニットとからなるコールバック交換サーバーを備えたコールバック通話システムであって、
前記コールバック通話依頼は、少なくとも、前記携帯電話の発ＩＤ、着信先電話番号を含む通信データからなり、
前記インターネット接続ユニットは、前記通信データに基づいて接続すべき着信先電話番号とコールバックすべき携帯電話番号とを前記電話回線交換接続ユニットに供給するようになしたことを特徴とするインターネットを用いたコールバック通話システム。
【請求項６】
前記コールバック通話システムは、更に、インターネット網を介して携帯電話に該携帯電話から蓄積した電話帳の情報を送信する電話帳サーバーを含み、前記携帯電話は該電話帳の情報から着信先電話番号を選択するようになしたことを特徴とする請求項５に記載のインターネットを用いたコールバック通話システム。
【請求項７】
前記インターネット接続ユニットは、前記発ＩＤと着信先電話番号とから、国番を含む着信先電話番号とコールバックすべき携帯電話番号とを特定する番号解析部を備えたことを特徴とする請求項５に記載のインターネットを用いたコールバック通話システム。
【請求項８】
前記電話交換接続ユニットは、前記携帯電話をコールバックする際、発ＩＤを特定の電話番号とするようになしたことを特徴とする請求項５に記載のインターネットを用いたコールバック通話システム。
【請求項９】
前記電話交換接続ユニットは、前記携帯電話をコールバックする際、発ＩＤを着信先の電話番号とするようになしたことを特徴とする請求項５に記載のインターネットを用いたコールバック通話システム。
【請求項１０】
インターネット網を介して携帯電話から送信されるコールバック通話依頼を受信し、コールバック交換サーバーに送信する仲介サーバーと、
前記仲介サーバーからコールバック通話依頼を受信するインターネット接続ユニットと、前記インターネット接続ユニットで受信したコールバック通話依頼に基づいて着信先の電話を呼び出すとともに、前記携帯電話をコールバックし、該着信先の電話と携帯電話を接続する電話回線交換接続ユニットとからなるコールバック交換サーバーとから構成したコールバック通話システムであって、
前記コールバック通話依頼は、少なくとも、前記携帯電話の発ＩＤ、着信先電話番号を含む通信データからなり、
前記インターネット接続ユニットは、前記通信データに基づいて接続すべき着信先電話番号とコールバックすべき携帯電話番号とを前記電話回線交換接続ユニットに供給するようになしたことを特徴とするインターネットを用いたコールバック通話システム。
【請求項１１】
前記仲介サーバーは、前記電話帳サーバーであることを特徴とする請求項１０に記載のインターネットを用いたコールバック通話システム。
【発明の詳細な説明】
【０００１】
【発明の属する技術分野】
本発明は、インターネットを用いたコールバック通話方法およびコンピュータ読取可能な記憶媒体ならびにコールバック通話システムに関し、特にインターネット網を介して海外等のコールバックサービスを提供する通信事業者の設置したコールバック交換サーバーに接続し、携帯電話の所有者が蓄積した電話帳から着信先の電話番号を送信することにより、前記コールバック交換サーバーが着信先の電話を呼び出し、発信元の携帯電話とコールバック接続するようになしたインターネットを用いたコールバック通話方法およびコンピュータ読取可能な記憶媒体ならびにコールバック通話システムに関するものである。
【０００２】
【従来の技術】
近年の電話通信サービスは、関連技術の飛躍的な発達と規制緩和に伴って、固定電話から携帯電話へ、更にインターネット電話（ＩＰ電話）へと急速な変化と多様化が進んでいる。そして近年の電話通信サービスは、通信事業者によって、また次々に開発される通信方式やサービス内容よって通信回線の使用料金や通話料金が異なっている。
【０００３】
特に、日本国内においては、規制緩和に伴って複数の通信事業者が競ってそれぞれ異なる固定電話、携帯電話、ＩＰ電話等の多種多様なサービスを提供しているが、海外の通信事業者と比較すると国内の通信事業者が提供しているサービス内容には遅れている面が多々あり、利用料金も国内の通信事業者と海外の通信事業者との間には大きな格差があり、海外の通信事業者の料金に比べ日本の通信事業者の料金が格段に高いといわれている。
【０００４】
このような背景にあって、日本国内の電話利用者には当然に利用料金の安い通信事業者のサービス、通話料金の安い通信事業者を経由した通話経路を利用したいという要求が生じる。このような要求に応えるための通話方式が種々提案されており、その１つに日本国内から国際電話をかけるときに、割安な海外通信事業者からの発信に切り替えて通話する、いわゆる、コールバック通話方式の国際通話サービスが提供されている。この国際コールバック通話方式にみられるように、日本における電話通信サービスの分野は、海外の通信事業者が参入して国際競争の時代に入ってきている。
【０００５】
前記の国際コールバック通話は、発信者が国際電話回線を用いて海外のコールバック通信事業者を呼び出し、発信者のＩＤ、着信先の電話番号等の必要情報を送り、一旦電話を切って海外のコールバック通信事業者からコールバックされるのを待つ通話方式であった。海外のコールバック通信事業者の呼び出しには当該通信事業者が用意したフリーダイアル（登録商標）を使用するため、発信者は着信先と接続された後の通話料金のみを負担すればよく、海外の通信事業者の料金設定に基づく割安な料金負担で国際電話がかけられることになる。
【０００６】
この国際コールバック通話方式を改良した方式が下記の特許文献１に開示されている。この公報に開示された通話方式は、発信者がコンピュータからインターネットを用いて海外のコールバック通信事業者のウエブサーバーに接続し、発信者のＩＤ、電話番号、着信先の電話番号を通知し、この情報に基づいてコールバック通信事業者の交換機から発信者へコールバックするとともに、着信先を呼び出して発信者と接続し、通話時間に応じた課金を行うものである。
【０００７】
【特許文献１】
特開平１０−３３６３３１号公報
【０００８】
【発明が解決しようとする課題】
しかしながら、上記の何れの国際コールバック通話方式においても、発信者がフリーダイアルやインターネットを用いて海外のコールバック通信事業者に発信者の電話番号（発信元電話番号）、発信者ＩＤ、着信先の電話番号を通知した上でコールバックされるのを待つという通話方式であり、発信前の通知手順が煩わしいという問題点があった。
【０００９】
また後者の国際コールバック通話方式の場合、発信者が所有するコンピュータを用いて海外のコールバック通信事業者のウエブサーバーにインターネット接続して発信元電話番号、発信者ＩＤ、着信先電話番号を通知する必要があり、自宅や事務所等コンピュータが使用できる環境からの発信に制約されるという問題点があった。
【００１０】
本発明の出願人は、前記の問題点を解決すべく種々検討を行った結果、近年では携帯電話にインターネット接続機能が備えられたこと、着信先電話番号の通知に携帯電話の電話帳あるいは電話帳サーバーに保存した電話帳が利用できることに着目し、インターネット網を介して所望の通話料金を設定した、例えば、海外のコールバック通信事業者が設置したコールバック交換サーバーに接続し、携帯電話の所有者が携帯電話の電話帳データあるいは電話帳サーバーに蓄積した電話帳データから着信先の電話番号を選択して送信することにより、前記コールバック交換サーバーが着信先を呼び出し、発信元をコールバックして接続するようになすことができることを見出し、本発明を完成するに至ったものである。
【００１１】
すなわち、本発明は前記の問題点を解決することを課題とし、携帯電話のインターネット接続機能および電話帳機能を利用し、海外の通信事業者など、所望の通話料金を設定したコールバック通信事業者が設置したコールバック交換サーバーにインターネットを用いて接続し、携帯電話の所有者が蓄積した電話帳データから着信先の電話番号を選択して送信することにより、前記コールバック交換サーバーが着信先を呼び出し、発信元とコールバック接続するようになしたインターネットを用いたコールバック通話方法およびコンピュータ読取可能な記憶媒体ならびにコールバック通話システムを提供することを目的とする。
【００１２】
【課題を解決するための手段】
本発明の上記の目的は以下の構成により達成することができる。すなわち、本発明の実施形態に係るインターネットを用いたコールバック通話方法は、携帯電話からインターネット網を介して電話帳サーバーに接続し、該電話帳サーバーに蓄積した電話帳を携帯電話にダウンロードするステップと、
携帯電話から前記電話帳サーバーにコールバック通話依頼を送信するステップと、
前記ダウンロードした電話帳から着信先電話番号を選択して前記電話帳サーバーに送信するステップと、
前記着信先電話番号を含む携帯電話からのコールバック通話依頼を、前記電話帳サーバーからインターネット網を介してコールバック交換サーバーに送信するステップと、
電話回線網を介して前記コールバック交換サーバーから着信先の電話を呼び出すとともに、前記携帯電話をコールバックするステップと、
前記着信先の電話および携帯電話の応答に基づいて、該着信先の電話と前記携帯電話とを接続することを特徴とする。
【００１３】
かかる通話方法によれば、ユーザーは携帯電話を使用し、インターネット網を介して電話帳サーバーに接続し、携帯電話の所有者が蓄積した電話帳データから着信先の電話番号を選択することにより、該電話帳サーバーを介して、海外の通信事業者など、所望の通話料金を設定したコールバック通信事業者が設置したコールバック交換サーバーにコールバック通話の依頼を行い、該コールバック交換サーバーによるコールバック通話サービスを受けることができる。
【００１４】
更に、本発明の実施形態に係るインターネットを用いたコールバック通話方法は、携帯電話からインターネット網を介してコールバック交換サーバーに接続するステップと、
前記携帯電話から前記コールバック交換サーバーにコールバック通話依頼を送信するステップと、
前記携帯電話に蓄積した電話帳から着信先電話番号を選択して前記コールバック交換サーバーに送信するステップと、
電話回線網を介して前記コールバック交換サーバーから着信先の電話を呼び出すとともに、前記携帯電話をコールバックするステップと、
前記着信先の電話および携帯電話の応答に基づいて、該着信先の電話と携帯電話とを接続することを特徴とする。
【００１５】
かかる通話方法によれば、ユーザーは携帯電話から直接、インターネット網を介してコールバック交換サーバーに接続し、携帯電話に蓄積した電話帳から着信先電話番号を選択してコールバック通話依頼ができるようになる。
【００１６】
また、本発明に係るコンピュータ読み取り可能な記録媒体は、携帯電話からインターネット網を介して電話帳サーバーに接続し、該電話帳サーバーに蓄積した電話帳携帯電話にダウンロードする処理と、
携帯電話から前記電話帳サーバーにコールバック通話依頼を送信する処理と、前記ダウンロードした電話帳から着信先電話番号を選択して前記電話帳サーバーに送信する処理と、
を携帯電話のコンピュータに実行させるためのプログラムを記録したものであり、かかる記憶媒体を携帯電話に搭載すれば、電話帳サーバーを介したコールバック通話依頼を行うことができる。
【００１７】
更に、本発明に係るコンピュータ読み取り可能な記録媒体は、携帯電話からインターネット網を介してコールバック交換サーバーに接続する処理と、
前記携帯電話から前記コールバック交換サーバーにコールバック通話依頼を送信する処理と、
前記携帯電話に蓄積した電話帳から着信先電話番号を選択して、前記コールバック交換サーバーに送信する処理と、
を携帯電話のコンピュータに実行させるためのプログラムを記録したものであり、かかる記憶媒体を携帯電話に搭載すれば、携帯電話から直接コールバック通話依頼を行うことができる。
【００１８】
また、本発明に係るインターネットを用いたコールバック通話システムは、インターネット網を介して携帯電話から送信されるコールバック通話依頼を受信するインターネット接続ユニットと、
前記インターネット接続ユニットで受信したコールバック通話依頼に基づいて着信先の電話を呼び出すとともに、前記携帯電話をコールバックし、該着信先の電話と携帯電話を接続する電話回線交換接続ユニットとからなるコールバック交換サーバーを備えたコールバック通話システムであって、
前記コールバック通話依頼は、少なくとも、前記携帯電話の発ＩＤ、着信先電話番号を含む通信データからなり、
前記インターネット接続ユニットは、前記通信データに基づいて接続すべき着信先電話番号とコールバックすべき携帯電話番号とを前記電話回線交換接続ユニットに供給するようになしたことを特徴とする。
【００１９】
かかる構成によれば、携帯電話からインターネット網を介して直接または電話帳サーバーを介してあるいは仲介サーバーを介して送信されるコールバック通話依頼に基づいて、携帯電話をコールバックし、着信先の電話と接続することができる。
【００２０】
また、本発明に係るインターネットを用いたコールバック通話システムは、インタローネット網を介して携帯電話に該携帯電話から蓄積した電話帳の情報を送信する電話帳サーバーを含み、前記携帯電話は該電話帳の情報から着信先電話番号を選択するようになしたことを特徴とする。かかる構成によれば、電話帳サーバーに蓄積した電話帳を用いて着信先の電話番号を選択することが可能となり、しかも携帯電話に常に多量の電話帳データを記憶しておく必要がなく、所定のコールバック通話依頼を終了した後にはダウンロードした電話帳データの記憶領域を解放することができる。
【００２１】
更に、本発明に係るインターネットを用いたコールバック通話システムにおいて、前記インターネット接続ユニットは、前記発ＩＤと着信先電話番号とから、国番を含む着信先電話番号とコールバックすべき携帯電話番号とを特定する番号解析部を備えたことを特徴とする。かかる構成によれば、海外のコールバック交換サーバーを用いる場合に、ユーザーに国際コールバックであることを意識させることがなく、着進先電話番号に国番や選択した国際専用線事業者番号等を付加する煩雑な操作をさせる必要がない。
【００２２】
更にまた、本発明に係るインターネットを用いたコールバック通話システムにおいて、前記電話交換接続ユニットは、前記携帯電話をコールバックする際、発ＩＤを特定の電話番号とするようになし、あるいは、発ＩＤを着信先の電話番号とするようになしたことを特徴とする。かかる構成によれば、ユーザーは携帯電話がコールバックされた時、第３者からの着信があっても、コールバックと該第３者からの着信とを識別することができる。
【００２３】
また、本発明に係るインターネットを用いたコールバック通話システムは、インターネット網を介して携帯電話から送信されるコールバック通話依頼を受信し、コールバック交換サーバーに送信する仲介サーバーと、
前記仲介サーバーからコールバック通話依頼を受信するインターネット接続ユニットと、前記インターネット接続ユニットで受信したコールバック通話依頼に基づいて着信先の電話を呼び出すとともに、前記携帯電話をコールバックし、該着信先の電話と携帯電話を接続する電話回線交換接続ユニットとからなるコールバック交換サーバーとから構成したコールバック通話システムであって、
前記コールバック通話依頼は、少なくとも、前記携帯電話の発ＩＤ、着信先電話番号を含む通信データからなり、
前記インターネット接続ユニットは、前記通信データに基づいて接続すべき着信先電話番号とコールバックすべき携帯電話番号とを前記電話回線交換接続ユニットに供給するようになしたことを特徴とし、あるいは、前記仲介サーバーが、前記電話帳サーバーであることを特徴とする。
【００２４】
かかる構成によれば、例えば、海外のコールバック交換サーバーにインターネット接続機能を付加するだけで、大きな変更を加えることなく、インターネット接続を利用した携帯電話に対するコールバック通話サービスを提供することができる。
【００２５】
以下本発明に係るインターネットを用いたコールバック通話方法およびコンピュータ読取可能な記憶媒体ならびにコールバック通話システムについて添付の図面を参照して詳細に説明する。
【００２６】
【発明の実施の形態】
図１は、本発明の実施形態に係るインターネットを用いたコールバック通話システムの構成を示す図である。図１においてインターネットを用いたコールバック通話システム１０は、ｉモード（登録商標）等の機能によりインターネット網１３を介して携帯電話１２から接続されるコールバック交換サーバー１４を主要な構成要素としている。
【００２７】
本実施形態においてコールバック交換サーバー１４は海外の通信事業者により海外に設置されたものであり、インターネット網１３を介してユーザーの携帯電話等と接続される他、該インターネット網１３を介して受信したコールバック通話の申込みに基づいて、国際専用線１７および着信先の電話が収容された電話回線網１５を介して着信先の固定電話あるいは携帯電話を呼び出し、また、発信元の携帯電話をコールバックして接続する機能を有している。このコールバック交換サーバー１４は、コールバック通話サービスを提供する海外の通信事業者が設置するものであり、着信先の電話１６が収容された電話回線網１５とは、国際専用線１７を介して接続される。
【００２８】
このコールバック交換サーバー１４を介したコールバック通話サービスを利用するユーザーは、従来のコールバック通話サービスの場合と同様に、本コールバック交換サーバー１４を運営するコールバック通信事業者と利用契約を結び、ユーザーＩＤ、パスワード登録を行うとともに、利用料金の支払い方法、例えば、クレジットカードによる支払いであれば支払いを行うクレジットカード番号を登録しておくことが必要になる。なお、ユーザーＩＤ、パスワードを使用せず、登録したユーザーの携帯電話番号のみで認証するようにしてもよい。
【００２９】
ユーザーがコールバック交換サーバー１４を利用したコールバック通話を希望する場合、ユーザーが所有（加入契約）している携帯電話１２をインターネット接続モードとし、インターネット網１３を経由して電話帳サーバー１８に接続し、自身が登録した電話帳ををダウンロードし、表示部に表示する。そして、ユーザーは、コールバック通話依頼として定義された特定キーを操作する等して、電話帳サーバー１８にコールバック通話依頼を送信するとともに、表示した電話帳から着信先の電話番号を選択し、確定ボタンを操作すると、電話帳サーバー１８はこれを受信し、携帯電話からの通話データの発ＩＤ（発信元携帯電話番号）と着信先電話番号をコールバック交換サーバー１４にインターネット網１３を介してコールバック通話依頼として送信する。その後、携帯電話１２をインターネット接続モードから通話モードに戻してコールバック交換サーバー１４からのコールバックを待つ。
【００３０】
携帯電話１２の電話帳は図２に示すように、名前と電話番号とメールアドレス等から構成されており、携帯電話使用者が繰り返し通話する着信先のデータを蓄積し、ユーザーが電話帳から着信先を選択して発信することができるようにしたものである。一般に携帯電話に保存できる電話帳の記憶領域には制約があり、５００件程度の電話帳データを蓄積する容量しか用意されておらず、携帯電話利用者にとって不足する場合が生じる。
【００３１】
電話帳サーバー１８はこれに対応するために通信事業者によって提供されるものであり、ユーザーあたり１５００件程度の電話帳データを保存することができ、携帯電話のユーザーはインターネット接続機能を利用して電話帳サーバー１８に接続し、自分に割り当てられた電話帳データを呼び出し、あるいは、新しい着信先の電話帳データを登録することができる。なお、電話帳サーバー１８にユーザーＩＤ、パスワード登録しておくことにより、コールバック通話依頼でない場合には、ユーザーＩＤとパスワード入力の上、電話帳をダウンロードする構成としておけば、携帯電話１２を第３者に貸与した場合に、電話帳を閲覧されることがない。
【００３２】
携帯電話１２に、インターネット接続モードでの動作中に該携帯電話１２に蓄積された電話帳を表示させるアプリケーションを付加すれば、電話帳サーバー１８から電話帳をダウンロードする必要はなく、この場合、電話帳サーバー１８を経由することなく、携帯電話１２からインターネット網１３を介してコールバック交換サーバー１４に接続して直接コールバック通話依頼を送信することができる。
【００３３】
コールバック交換サーバー１４は、送信されたコールバック通話依頼中の携帯電話１２の発ＩＤから発信元（ユーザー）の電話号を識別しユーザー認証を行う。ユーザーの認証が正しく行なわれると、携帯電話１２から送信された着信先電話番号に基づいて国際専用線１７、電話回線網１５を経由して着信先の電話１６、例えば、固定電話１６を呼び出し、同様に、国際専用線１７、電話回線網１５、基地局２２を介して発信元の携帯電話１２をコールバックする。
【００３４】
着信先の電話１６が応答すると発信元の携帯電話１２と接続し、着信先の電話１６と発信元の携帯電話１２との間で通話が開始できる。この時、携帯電話１２が基地局２０のカバーするエリアから移動していなければ、コールバック時の携帯電話１２の着信は、同じ基地局２０を経由して着信し、コールバック通話の依頼からコールバックまでの間に携帯電話１２が基地局２２がカバーするエリアに移動している場合は、該基地局２２を経由して着信することになる。着信先が固定電話１６でなく、携帯電話の場合は当該携帯電話が位置登録している基地局を経由した接続となる。
【００３５】
コールバック交換サーバー１４は、図３に示すように、インターネット接続ユニット３０と電話回線交換接続ユニット４０とから構成されている。インターネット接続ユニット３０は、送受信処理部３２、認証処理部３５、番号解析部３６、記憶部３４、制御部３８とから構成され、電話回線交換接続ユニット４０は、制御部４２と交換接続部４４とから構成され、両ユニットはインタフェース部３９を介して接続されている。電話回線交換接続ユニット４０の機能は、通常の電話交換機あるいは交換サーバーの構成を適用することができる。
【００３６】
本発明のコールバック通話システムでは、発信元が国内で着信先が海外である制約はない。発信元、着信先がともに国内の通話も可能であるが、両者が国内であっても海外の通信事業者が設置したコールバック交換サーバー、国際専用線を経由した通話であることから国際通話の範疇に入る。通常、国際コールバック通話サービスを利用する場合、常識的に着信先は外国であり国際通話を行う場合である。このため、コールバック通信事業者に着信先電話番号を伝える際、ユーザーは当然ながら国番号、エリアコード、局番、電話番号を伝える必要があった。発信元電話番号についても同様であった。
【００３７】
本発明においては、海外のコールバック通話サービスを利用するものの、着信先は必ずしも外国ではなく、むしろ安価な通話料金で国内の通話を可能となすことに特徴があり、ユーザーに海外のコールバック通信事業者を意識させないようにするため、着信先電話番号通知において国番の通知を不要とすることが好ましい。
【００３８】
このためインターネット接続ユニット３０には番号解析部３６を備えている。この番号解析部３６は、日本における全国番号計画のデータを備えており携帯電話１２から通知された着信先電話番号と前記の全国番号計画のデータを照合し、日本の国番「８１」を特定し、着信先を国際電話回線網１５を経由して呼び出すようしている。コールバック通話を依頼した発信元の携帯電話番号もインターネット網１３を経由して受信した通信データ中の発ＩＤを番号解析部３６で解析し、日本の国番「８１」を特定しコールバックする。
【００３９】
前記のようにして特定された発信元電話番号と着信先電話番号は、制御部３８の制御下で記憶部３４に一時保存され、インタフェース部３９を介して電話回線交換接続ユニット４０に送られ、制御部４２の制御により交換接続部４４、国際専用線１７、電話回線網１５を経由して着信先の電話１６を呼び出すとともに、発信元の携帯電話１２をコールバックする。着信先が応答すると、発信元と接続して通話が開始される。通話の開始により課金が開始され、通話に終了とともに課金も終了する。これらの制御は通常の電話交換機と全く同様である。
【００４０】
なお、着信先を呼び出し、発信元をコールバックし、両者を接続するまでの間、発信元に対してはコールバック交換サーバー１４から音楽データを送信するサービスを付加することができる。すなわち、本出願人により特願２００２−１５６５７９号として出願された技術は、発信元がサービス利用を登録している場合に、発信元電話機から着信先電話番号がダイアルされ、交換機が着信先を呼び出して接続するまでの間、発信元電話機に対して送出されるリングバックトーンの代わりに、音楽データ等をサービスするものであり、この技術を適用することができる。
【００４１】
図４は、前述の国際コールバック通話の手順を示すフローチャートであり、（Ａ）は、電話帳サーバーを用い、インターネット網１３を経由して通話依頼をする手順を示すフローチャート、（Ｂ）は国際専用線１７、電話回線網１５を経由して発信元と着信先を接続する手順を示すフローチャートである。
【００４２】
ユーザーがコールバック交換サーバー１４を利用した国際コールバック通話を希望する場合、先ず、ステップ１０１でユーザーは、所有（加入契約）している携帯電話１２をインターネット接続モードとし、基地局２０、インターネット網１３を経由して電話帳サーバー１８に接続し、電話帳サーバーに蓄積してある電話帳をダウンロードし、表示部に表示させる。次いで、ステップ１０２で携帯電話１２によりコールバック通話依頼を定義した特定キーを操作する等して、コールバック通話依頼を電話帳サーバー１８に送信するとともに、ステップ１０３で表示された電話帳から着信先を選択して確定ボタンを操作する。
【００４３】
電話帳サーバー１８は、ステップ１０４でこれを検出すると、コールバック交換サーバー１４に、携帯電話１２の発ＩＤとともに確定された着信先の電話番号を含めコールバック通話依頼を送信する。その後、ステップ１０５で携帯電話１２はインターネット接続を切断し、インターネットモードから通話モード
に戻し、コールバック交換サーバー１４からのコールバックを待つ。
【００４４】
以上のようにしてユーザーの携帯電話１２からインターネット網１３を経由して送信されたコールバック通話要求がコールバック交換サーバー１４の送受信処理部３２で受信されると、ステップ１０６においてコールバック交換サーバー１４は、認証処理部３５で携帯電話１２の発ＩＤ（携帯電話からの送信データに含まれる発信携帯電話の電話番号）からユーザーの認証を行い、ステップ１０７において番号解析部３６で発ＩＤおよび着信先電話番号に基づき前述の番号解析を行い、国番号を含む発信元電話番号、着信先電話番号を特定し、記憶部３４に一時保存する。
【００４５】
記憶部３４に保存された発信元電話番号と着信先電話番号は、インタフェース部３９を介して電話回線交換接続ユニット４０の制御部４２に送られ、ステップ１０８で交換接続部４４は、着信先電話番号を呼び出す。この時、発信元の電話番号を着信先電話機に表示できるようにするため、コールバック交換サーバー１４からの通信データの発ＩＤには発信元電話番号（コールバック通話依頼した携帯電話の電話番号）を挿入する。
【００４６】
次いで、ステップ１０９において交換接続部４４は、発信元の携帯電話１２をコールバックする。この時、発信元の携帯電話１２にコールバック交換サーバー１４からのコールバックであることを表示できるようにするため、コールバック交換サーバー１４からの通信データ中の発ＩＤには、予め設定した特定番号を挿入する。このようにすることにより、ユーザーがコールバックを待っている間にコールバック交換サーバー１４からのコールバックと第３者の電話からの着信とが競合した場合、ユーザーの携帯電話１２に表示される発ＩＤによって、コールバック交換サーバー１４からのコールバックであるか、第３者からの着信であるかを識別可能にすることができる。
【００４７】
あるいは、コールバック交換サーバー１４から発信元の携帯電話１２をコールバックする際のコールバック交換サーバー１４側の発ＩＤを、着信先の電話番号に置き換えてコールバックするように構成してもよい。これにより、ユーザーがコールバックを待っている間にコールバック交換サーバー１４からのコールバックと第３者の電話からの着信とが競合した場合、ユーザーの携帯電話１２に表示される発ＩＤによって、ユーザーがコールバック通話を依頼した着信先からの通話（コールバック交換サーバー１４からのコールバック）であることを識別することができるようになる。
【００４８】
ステップ１１０において、着信先が応答し、発信元と接続できる状態であると交換接続部４４は発信元の携帯電話１２と着信先の電話１６とを接続し、課金を開始する。ステップ１１１で通話が終了すると課金も終了する。
【００４９】
このような通話システムによれば、上記のステップ１０１〜１０５の手順はインターネット通信であり、電話回線網のインフラを利用するものではなく、国内の通信事業者との間で料金等に関するトラブルを生じることはない。ステップ１０６〜ステップ１１１のコールバック通話は既に海外の通信事業者が参入して行っているサービスであり何ら問題を生じることはない。
【００５０】
前述のように、携帯電話１２にインターネット接続モードでの動作中に、該携帯電話１２に蓄積された電話帳を表示させるアプリケーションを付加すれば、電話帳サーバーから電話帳をダウンロードする必要はなく、携帯電話１２からインターネット網１３を介してコールバック交換サーバー１４に接続し、直接コールバック通話依頼を送信することができる。図５はこの場合の手順を示すフローチャートである。
【００５１】
すなわち、ステップ１１１で携帯電話１２から基地局２０、インターネット網１３を介してコールバック交換サーバー１４に接続し、次いで、ステップ１１２で携帯電話１２からコールバック通話依頼をコールバック交換サーバー１４に送信するとともに、ステップ１１３で電話帳を表示し、表示された電話帳から着信先を選択して確定ボタンを操作し、着信先の電話番号をコールバック交換サーバー１４に送信する。その後、ステップ１１４で携帯電話１２はインターネット接続を切断し、通話モードに戻してコールバック交換サーバー１４からのコールバックを待つ。この後のコールバック交換サーバーの処理手順は、図４の（Ｂ）に示すフローチャートと同様である。
【００５２】
携帯電話１２には、図４（Ａ）の処理手順や図５の処理手順を実行するためのアプリケーションを用意しておくと一層便利である。すなわち、予め、コールバック通話アプリケーションとして、コールバック交換サーバー１４のインターネットアドレスや電話帳サーバーのインターネットアドレスを記憶しておき、該アプリケーションを起動すると、自動的にインターネット接続モードとなり、コールバック通話依頼として定義されたキー情報を電話帳サーバー１８に送信し、電話帳データを表示し、あるいは、携帯電話１２に蓄積した電話帳を表示し、該電話帳から着信先を選択し確定入力をすると自動的に電話帳サーバー１８あるいはコールバック交換サーバー１４に着信先電話番号が送信される手順を記憶した記憶媒体を搭載しておけばよい。
【００５３】
図６は本発明の他の実施形態に係るインターネットを用いたコールバック通話システムの構成を示す図である。図１の構成と相違する点は、ユーザーからのコールバック通話の申込みを海外のコールバック交換サーバー１４に仲介する仲介サーバー１９を設けた点であり、この仲介サーバー１９はコールバック交換サーバー１４の番号解析機能を持ち、発信元、着信先の電話番号を国番を含めた電話番号に変換して海外のコールバック交換サーバー１４に仲介するものである。この仲介サーバー１９として前述の電話帳サーバー１８を利用することも可能である。
【００５４】
この場合、海外のコールバック交換サーバー１４には番号解析部３６を備える必要がなく、一般的なコールバック交換の機能のみをそなえていればよい。また、ユーザーにも国際コールバック通話であることを全く意識させずに、あたかも、国内通話におけるコールバックサービスが提供されているように感じさせることができる。
【００５５】
なお、以上の実施形態において、安価な料金設定をしている海外の通信事業者が設置したコールバック交換サーバーを例に説明したが、本発明はこれに限られるものではなく、規制緩和や国際競走が更に進み、国内の通信事業者が海外の通信事業者と同等に安価な料金設定でコールバック通話サービスを提供できる環境になれば、当該国内の通信事業者が国内に設置するコールバック交換サーバーを用いることもできる。
【００５６】
【発明の効果】
以上詳細に説明したように、本発明に係るインターネットを用いたコールバック通話システムは、インターネット網１３を介して携帯電話１２から送信されるコールバック通話依頼を受信するインターネット接続ユニットと、インターネット接続ユニットで受信したコールバック通話依頼に基づいて着信先の電話１６を呼び出すとともに、前記携帯電話１２をコールバックし、該着信先の電話１６と携帯電話１２を接続する電話回線交換接続ユニットとからなるコールバック交換サーバー１４を備え、携帯電話１２または電話帳サーバー１８に蓄積した電話帳から着信先の電話番号を選択し、コールバック通話依頼をインターネット網１３介してをコールバック交換サーバー１４に送信する。インターネット接続ユニット３０は前記通話依頼に基づいて着信先電話番号とコールバックすべき携帯電話番号とを前記電話回線交換接続ユニット４０に供給し、コールバック接続を行う構成となしたので、本発明によれば、携帯電話のインターネット接続機能および電話帳機能を利用し、海外の通信事業者など、所望の通話料金を設定したコールバック通信事業者が設置したコールバック交換サーバーにインターネットを用いて接続し、携帯電話の所有者が蓄積した電話帳データから着信先の電話番号を選択して送信することにより、前記コールバック交換サーバーが着信先を呼び出し、発信元とコールバック接続するようになしたインターネットを用いたコールバック通話システムが提供できる。
【図面の簡単な説明】
【図１】本発明の実施形態に係るインターネットを用いたコールバック通話システムの構成を示す図である。
【図２】電話帳の構成を示す図である。
【図３】コールバック交換サーバーの構成を示すブロック図である。
【図４】コールバック通話の手順を示すフローチャートであり、（Ａ）は、電話帳サーーバーを介して通話依頼をする手順を示すフローチャート、（Ｂ）は電話回線網を経由して発信元と着信先を接続する手順を示すフローチャートである。
【図５】携帯電話からインターネット網を介してコールバック交換サーバーに通話依頼する手順を示すフローチャートである。
【図６】本発明の他の実施形態に係るインターネットを用いたコールバック通話システムの構成を示す図である。
【符号の説明】
１０…インターネットを用いたコールバック通話方式
１２…携帯電話
１３…インターネット網
１４…コールバック交換サーバー
１５…電話回線網
１６…着信先電話
１８…電話帳サーバー
１９…仲介サーバー
２０、２２…基地局
３０…インターネット接続ユニット
３２…送受信処理部
３４…記憶部
３５…認証処理部
３６…番号解析部
３８…制御部
３９…インタフェース部
４０…電話回線交換接続ユニット
４２…制御部
４４…交換接続部
【図１】
2004096249.tif 000003
【図２】
2004096249.tif 000004
【図３】
2004096249.tif 000005
【図４】
2004096249.tif 000006
【図５】
2004096249.tif 000007
【図６】
2004096249.tif 000008